(57)【要約】【課題】  ライブビュー中に撮影者の意図に合わせた画像が表示されるように露出制御を行う。【解決手段】  撮像手段により撮像を行って取得された画像データに基づく画像を表示手段に逐次表示している際に絞りを静止画撮影時の状態にするように操作手段が操作された場合に表示手段に適正な明るさの画像を表示させることを優先して露出制御を行う第１のモードと静止画撮影時の露出条件を反映させることを優先して露出制御を行う第２のモードとのどちらで露出制御を行うかを決定する。【選択図】  図６
2012244532.tif 000002
【特許請求の範囲】
【請求項１】
被写体を撮像して画像データを取得する撮像手段と、
前記撮像手段により取得された画像データに基づく画像を表示する表示手段と、
前記撮像手段に入射する光量を調節する絞りの制御を行う絞り制御手段と、
前記絞りを静止画撮影時の状態にするように前記絞り制御手段へ指示するための操作を受け付ける操作手段と、
前記表示手段に前記撮像手段により取得された画像データに基づく画像を逐次表示している際に、前記表示手段に適正な明るさの画像を表示させることを優先して露出制御を行う第１のモードと静止画撮影時の露出条件を反映させることを優先して露出制御を行う第２のモードとを有する露出制御手段と、
前記表示手段に前記撮像手段により取得された画像データに基づく画像を逐次表示している際に前記操作手段が操作された場合に前記露出制御手段により前記第１のモードと前記第２のモードのどちらで露出制御を行うかを決定する決定手段と、
を有することを特徴とする撮像装置。
【請求項２】
前記絞り制御手段は、前記表示手段に前記撮像手段により取得された画像データに基づく画像を逐次表示している際に前記操作手段が操作されていない場合、前記絞りが静止画撮影時の状態よりも小絞り側とならないように制御することを特徴とする請求項１に記載の撮像装置。
【請求項３】
外部ストロボを接続する接続手段を有し、
前記接続手段に接続された外部ストロボが発光準備完了状態か否かを判定する判定手段を有し、
前記決定手段は、前記判定手段により前記接続手段に接続された外部ストロボが発光準備完了状態であると判定されたときは、前記表示手段に前記撮像手段により取得された画像データに基づく画像を逐次表示している際に前記操作手段が操作された場合に前記第２のモードで露出制御を行うような決定を行うことを特徴とする請求項１または２に記載の撮像装置。
【請求項４】
前記露出制御手段は、前記第１のモードで露出制御を行う場合、静止画撮影時よりも設定可能な撮影感度の上限値を高くすることを特徴とする請求項１ないし３のいずれか１項に記載の撮像装置。
【請求項５】
被写体を撮像して画像データを取得する撮像手段と、前記撮像手段により取得された画像データに基づく画像を表示する表示手段と、前記撮像手段に入射する光量を調節する絞りの制御を行う絞り制御手段と、前記絞りを静止画撮影時の状態にするように前記絞り制御手段へ指示するための操作を受け付ける操作手段と、を有する撮像装置の制御方法であって、
前記表示手段に前記撮像手段により取得された画像データに基づく画像を逐次表示している際に、前記表示手段に適正な明るさの画像を表示させることを優先して露出制御を行う第１のモードと静止画撮影時の露出条件を反映させることを優先して露出制御を行う第２のモードとを有する露出制御ステップと、
前記表示手段に前記撮像手段により取得された画像データに基づく画像を逐次表示している際に前記操作手段が操作された場合に前記露出制御ステップで前記第１のモードと前記第２のモードのどちらで露出制御を行うかを決定する決定ステップと、
を有することを特徴とする撮像装置の制御方法。
【発明の詳細な説明】
【技術分野】
【０００１】
本発明は、撮影前に撮影時の被写界深度を確認することができる撮像装置に関する。
【背景技術】
【０００２】
近年のデジタルカメラなどの撮像装置には、撮像素子で撮像して得られた画像を表示装置に逐次表示する、いわゆるライブビュー表示（スルー画表示ともいう）機能を有するものがある。
【０００３】
また、従来の一眼レフカメラでは、光学ファインダーから観察される被写体像が明るくなるように撮影前は絞りを開放状態にしておくものがある。このような一眼レフカメラでは、絞りが開放状態のままでは撮影時の被写界深度を確認できないため、撮影前であっても所定の操作により絞りを撮影時の絞り値に変更することができる機能を有している。
【０００４】
例えば、特許文献１では、スルー画表示中に通常は絞りを開放にしておき、プレビュー釦がオンされると撮影時の絞り値に絞りこんで撮影時の被写界深度をスルー画表示された画像で確認することができるデジタル一眼レフカメラが提案されている。
【先行技術文献】
【特許文献】
【０００５】
【特許文献１】特開２００７−２５１２９５号公報
【発明の概要】
【発明が解決しようとする課題】
【０００６】
しかしながら、特許文献１に記載されたデジタル一眼レフカメラでは、絞りが開放状態のときと絞りが絞り込み状態のときとでスルー画の明度が一定となるように、絞り込み状態での電子シャッタースピードと感度の調整を行っている。そのため、撮影時の露出状態を反映したスルー画が表示されず、撮影時の被写界深度と露出状態とを同時に確認することができない。
【０００７】
一方、撮影時の被写界深度と露出状態とを同時に確認することができるように電子シャッタースピードと感度の調整を行う場合にも以下の問題が生じる。例えば、ストロボ撮影を行う場合には電子シャッタースピードと感度は露出アンダーとなるように設定されるため、撮影時の電子シャッタースピードと感度を反映させた露出状態にすると、スルー画が暗くなりすぎて被写界深度を確認できなくなってしまう。
【０００８】
そこで、本発明は、ライブビュー中に撮影者の意図に合わせた画像が表示されるように露出制御を行うことを目的とする。
【課題を解決するための手段】
【０００９】
上記の目的を達成するために、本発明に係る撮像装置は、被写体を撮像して画像データを取得する撮像手段と、前記撮像手段により取得された画像データに基づく画像を表示する表示手段と、前記撮像手段に入射する光量を調節する絞りの制御を行う絞り制御手段と、前記絞りを静止画撮影時の状態にするように前記絞り制御手段へ指示するための操作を受け付ける操作手段と、前記表示手段に前記撮像手段により取得された画像データに基づく画像を逐次表示している際に、前記表示手段に適正な明るさの画像を表示させることを優先して露出制御を行う第１のモードと静止画撮影時の露出条件を反映させることを優先して露出制御を行う第２のモードとを有する露出制御手段と、前記表示手段に前記撮像手段により取得された画像データに基づく画像を逐次表示している際に前記操作手段が操作された場合に前記露出制御手段により前記第１のモードと前記第２のモードのどちらで露出制御を行うかを決定する決定手段と、を有することを特徴とする。
【発明の効果】
【００１０】
本発明によれば、ライブビュー中に撮影者の意図に合わせた画像が表示されるように露出制御を行うことができる。
【図面の簡単な説明】
【００１１】
【図１】本発明の実施形態に係るカメラを示す図である。
【図２】本発明の実施形態に係るカメラの構成例を示すブロック図である。
【図３】本発明の実施形態に係るライブビュー中の露出制御モードの設定を変更するためのＧＵＩの画面例を示す図である。
【図４】第１の実施形態に係るカメラにおけるライブビュー中の画像表示に関する動作を示すフローチャートである。
【図５】第１の実施形態に係るカメラにおけるライブビュー中の露出制御に関する動作を示すフローチャートである。
【図６】第１の実施形態に係るカメラにおける露出制御モードを決定するのに用いる決定テーブルである。
【発明を実施するための形態】
【００１２】
以下、添付図面を参照して、本発明の好適な実施形態について説明する。
【００１３】
図１は、本実施形態に係る撮像装置であるレンズ交換式デジタルカメラを示す。１０１はカメラの背面に設けられた液晶表示装置などの表示部である。表示部１０１は撮像素子１０４で撮像して得られる画像を逐次表示する、いわゆるライブビュー表示（以下、ライブビューとする）が可能であり、撮影者は後述するファインダー１６の代わりに表示部１０１を用いて構図の確認などが可能である。１０８はメニューボタン、１０２はＳＥＴボタンであり、表示部１０１に表示されたメニュー項目の決定や選択を行うときに用いる。
【００１４】
１０３はカメラの制御プログラムを実行するマイクロコンピュータ（以下、マイコンとする）である。１０４は被写体を撮像する撮像素子である。１０５はカメラに装着された交換レンズの絞りを絞り込むときに操作する操作部である。１０６はカメラのレンズマウントに取り付けられた交換レンズであり、フォーカスレンズやズームレンズなどを含んで構成される。１０７はカメラに外部ストロボを接続するためのシンクロ端子である。
【００１５】
図２は、本実施形態に係るカメラの構成例を示すブロック図である。１００はカメラ本体、１０６は交換レンズである。なお、交換レンズ１０６に含まれるレンズ５は複数枚のレンズから構成されるがここでは簡略して一枚のレンズのみで示している。
【００１６】
６は交換レンズ１０６がカメラ本体１００と通信を行うためのレンズ側通信端子であり、１０はカメラ本体１００が交換レンズ１０６と通信を行うためのカメラ側通信端子である。交換レンズ１０６は、この通信端子６、１０を介してカメラ本体１００のマイコン１０３と通信する。これにより、レンズシステム制御回路４によって絞り駆動回路２を介して撮像素子１０４に入射する光量を調節する絞り１の制御を行う。また、ＡＦ駆動回路３を介してレンズ５の位置を変位させることで焦点調節を行う。
【００１７】
カメラ本体１００において、１５はＡＥセンサーであり、被写体の輝度を測光する。１２はクイックリターンミラーであり、マイコン１０３からの指示にしたがってアップダウンされる。１３はフォーカシングスクリーン、１４はペンタプリズム、１６はファインダーである。撮影者は、ペンタプリズム１４とファインダー１６を介して、フォーカシングスクリーン１３を観察することで、交換レンズ１０６を通して得た被写体の光学像の焦点状態や構図の確認が可能となる。
【００１８】
１７はフォーカルプレーンシャッタであり、マイコン１０３からの指示にしたがって撮像素子１０４の前面を走行し、撮像素子１０４の露光時間を調節する。１８は光学フィルターであり、一般的にローパスフィルター等から構成され、交換レンズ１０６を通って撮像素子１０４に入射する光の高周波成分をカットする。１９は光学フィルター１８に接続されている圧電素子である。撮像素子１０４には、一般的にＣＣＤやＣＭＯＳ等の撮像素子が用いられ、交換レンズ１０６を通して撮像素子１０４上に結像された被写体像を光電変換して電気信号として取り込む。
【００１９】
２１はアンプ回路であり、取り込まれた電気信号に対して、設定されている撮影感度に応じたゲインで信号を増幅する。２２はＡ／Ｄ変換回路であり、撮像素子１０４によって電気信号に変換されたアナログ信号をデジタル信号に変換する。２３は画像処理回路、２４は表示部駆動回路である。画像処理回路２３は、Ａ／Ｄ変換回路２２によってデジタル信号に変換された画像データに対して、フィルター処理、色変換処理、ガンマー／ニー処理を行い、メモリコントローラ２７に出力する。また、画像処理回路２３は、Ｄ／Ａ変換回路も内蔵しており、Ａ／Ｄ変換回路２２によってデジタル信号に変換された画像データやメモリコントローラ２７から入力される画像データをアナログ信号に変換して表示部駆動回路２４を介して表示部１０１に出力できる。これらの画像処理回路２３による画像処理及び表示処理は、マイコン１０３により切り替えられる。また、マイコン１０３は、撮像画像のカラーバランス情報をもとにホワイトバランス調整を行う。
【００２０】
２６はバッファメモリ、２７はメモリコントローラ、２８はメモリ、２９は外部インタフェースである。メモリコントローラ２７は、画像処理回路２３から入力された未処理の画像データをバッファメモリ２６に格納する。また、画像処理済みの画像データをメモリ２８に格納したり、逆にバッファメモリ２６やメモリ２８から画像データを取り込んで画像処理回路２３に出力したりする。また、メモリコントローラ２７は、外部インタフェース２９を介して送られてくる画像データをメモリ２８に格納したり、逆にメモリ２８に格納されている画像データを外部インタフェース２９によって外部に出力できる。また、メモリ２８は、着脱可能な様態でもよい。
【００２１】
３２はタイミング制御回路であり、この回路を介してマイコン１０３は、撮像素子１０４の駆動タイミングを制御する。３０はＡＣ電源部、３１は２次電池部、３３は電源種類検知回路、３４は電源状態検知回路、３５は電源制御回路である。電力はＡＣ電源部３０、もしくは２次電池部３１より供給され、マイコン１０３から指示を受けて電源制御回路３５が電源のオン／オフを行う。また、電源制御回路３５は、電源状態検知回路３４により検知された現在の電源状態の情報や電源種類検知回路３３により検知された現在の電源種類情報をマイコン１０３に通知する。
【００２２】
３６はシャッタ制御回路であり、この回路を介してマイコン１０３はフォーカルプレーンシャッタ１７を制御する。３７は光学フィルター振動制御回路であり、この回路を介してマイコン１０３は光学フィルター１８に接続されている圧電素子１９を振動させる。光学フィルター振動制御回路３７は、振動の振幅、振動時間、振動の軸方向をそれぞれ所定の値で圧電素子１９を振動させるように、マイコン１０３の指示に従い振動させる。３８は不揮発性メモリ（ＥＥＰＲＯＭ）であり、撮影者が任意に設定したシャッタ速度、絞り値、撮影感度等の設定値やデータをカメラに電源が入れられていない状態でも、保存することができる。
【００２３】
３９はＳＷ入力回路であり、この回路を介してマイコン１０３はＳＥＴボタン１０２、絞り込みボタン１０５、メニューボタン１０８などが操作されたことを検知する。
【００２４】
次に、図３を用いてライブビュー中の露出制御モードの設定について説明する。３０１は、メニューボタン１０８を操作することで表示部１０１に表示されるメニュー項目の１つである、ライブビュー中の露出制御モードを設定するための項目を示している。そして、表示された項目の中から「露出Ｓｉｍｕｌａｔｉｏｎ」を選択して決定すると、右欄の選択肢が表示される。ここで、「露出Ｓｉｍｕｌａｔｉｏｎ」とは、ライブビュー中に静止画撮影時のシャッタ速度、絞り値、撮影感度などの露出条件を反映させた露出制御を行う露出制御モードのことを示している。「しない」を選択した場合は、ライブビュー中に撮影時のシャッタ速度、絞り値、撮影感度を反映させた露出制御を行わずに、表示部１０１に適正な明るさの画像が表示されるような露出制御を行う。すなわち、「しない」を選択した状態で絞り込みボタン１０５が操作された場合、絞り１の絞り込みは行うが、表示部１０１に適正な明るさの画像が表示されるような露出制御を行う。
【００２５】
また、「絞り込み中」を選択した場合、ライブビュー中に通常は表示部１０１に適正な明るさの画像が表示されるような露出制御を行うが、絞り込みボタン１０５が操作されて絞り１を絞り込んだときには静止画撮影時の露出条件を反映させた露出制御を行う。
【００２６】
また、「する」を選択した場合は、絞り込みボタン１０５が操作されたか否かによらず、ライブビュー中は静止画撮影時の露出条件を反映させた露出制御を行う。
【００２７】
なお、本実施形態では、上記のいずれの選択肢が選択されていても、絞り込みボタン１０５が操作されていない状態では、絞り１を静止画撮影時よりも小絞り側とならないようにする。これは、絞りを開放側にしたほうが被写界深度が浅くなり、ピントの合っている領域と合っていない領域とを判別しやすく、焦点検出を正確に行うことができるからである。
【００２８】
以上のように、ライブビュー中の露出制御に関して、撮影時の露出条件を優先した露出制御を行う露出優先（第２のモード）と表示部１０１に適正な明るさの画像が表示されることを優先する表示優先（第１のモード）のいずれを行うかを設定することが可能である。また、絞り１の絞り込みに合わせて表示優先から露出優先に変更するか否かを設定することが可能である。それによって、撮影時の被写界深度とともに露出状態を確認することが可能であるとともに、撮影時の露出状態が暗く被写体深度が確認できないような場合にも被写体深度を確認することができる。
【００２９】
次に、図４を用いてライブビュー中の画像表示に関する動作を説明する。以下に説明する動作は、ライブビュー表示のフレームレートに応じて周期的に実行される。
【００３０】
まず、ステップＳ４０１でマイコン１０３は、撮像素子１０４からの出力をＡＭＰ回路２１、Ａ／Ｄ変換回路２２、画像処理回路２３、メモリコントローラ２７、といった回路を制御してメモリ２８に記憶する制御を行う。
【００３１】
ステップＳ４０２でマイコン１０３は、メモリ２８に記憶した画像データを画像処理回路２３、メモリコントローラ２７を制御して、画像データに関する輝度分布データの抽出、画像データの大きさの変換などを現像処理として行う。
【００３２】
ステップＳ４０３でマイコン１０３は、今回得られた画像データから測光値を求める測光処理を行う。画像データにはシャッタ速度、絞り値、撮影感度といった撮像素子の露光情報が付随しており、画像や輝度分布などと合わせて測光値を求める。
【００３３】
ステップＳ４０４でマイコン１０３は、ライビュー中の露出制御モードの決定を行う。
【００３４】
ステップＳ４０５でマイコン１０３は、ステップＳ４０５で決定した露出制御モードに応じて、次回の露出条件を設定する。
【００３５】
例えば、外部ストロボをシンクロ端子に接続してマニュアル露出で撮影する場合、撮影者はストロボ光が照射された状態の明るさを想定してシャッタ速度、絞り値、撮影感度を設定する。そのため、ライブビュー表示中にはストロボ光がないため、マニュアル設定通りの露出ではストロボ光がない分、被写体が暗く見えることになる。そこで、ステップＳ４０５で決定した露出制御モードが表示優先の場合には表示画像の明るさを適正にするために、マニュアル設定されたシャッタ速度または撮影感度を設定値とは変えてストロボ光の明るさ分を補償する。
【００３６】
つまり、以下のＡＰＥＸの式に基づいて、シャッタ速度または撮影感度を決定する。
Ｂｖ＋Ｓｖ＝Ｔｖ＋Ａｖ
ここで、Ｂｖは被写体輝度、ＳｖはＩＳＯ感度、Ｔｖはシャッタ速度、Ａｖは絞り値に対応している。
【００３７】
上記の式により、ストロボ光を含めた被写体輝度をＢｖＦ、マニュアル設定された撮影感度をＳｖＭ、シャッタ速度をＴｖＭ、絞り値をＡｖＭとすると、
ＢｖＦ＋ＳｖＭ＝ＴｖＭ＋ＡｖＭ
となる。
【００３８】
ライブビュー表示中はストロボ光がない分だけ被写体輝度は暗くなり、ＢｖＬ（ＢｖＬ＜ＢｖＦ）である。すなわち、
ＢｖＬ＋ＳｖＭ＜ＴｖＭ＋ＡｖＭ
となり表示される画像が暗くなる。両辺を等しくする際にＡｖＭを変更すると被写界深度が変化するため、ＡｖＭは極力を変更させないことが望ましい。そこで、次回の露出条件のＩＳＯ感度ＳｖＬをＳｖＭより大きくするか、次回の露出条件のシャッタ速度ＴｖＬをＴｖＭより小さくすることになる。
【００３９】
なお、本実施形態では、ＩＳＯ感度については、一般にＩＳＯ感度を上げると画像のノイズが増すことを考慮して、設定可能な上限値が制御上の上限値より低く定めている。しかしながら、この設定上限は撮影時のＩＳＯ感度に関するものなので、ライブビュー表示に用いる画像の明るさを得るためには重要ではなく、撮影者の設定値を書き換えるものではないので、ＳｖＬを大きくする際には制御上のＩＳＯ感度上限まで利用する。すなわち、表示優先で露出制御を行う場合、静止画撮影時よりも設定可能な撮影感度の上限値を高くする。
【００４０】
一方、シャッタ速度については、ライブビュー表示の更新頻度が一秒間に３０回なので  ＴｖＬを小さくする場合に下限（低速側の限界）がある。本実施形態では、外付けストロボを用いて撮影を行う場合のシャッタ速度同調秒時は１／６０程度なので、シャッタ速度ＴｖＬのみを変更することで補償できる量はわずかである。そのため、シャッタ速度とＩＳＯ感度の両方を変更してストロボ光の明るさ分を補償する場合が多いが、このときにシャッタ速度とＩＳＯ感度のどちらを優先して変更させるかを撮影者が選択可能にしてもよい。
【００４１】
ステップＳ４０６でマイコン１０３は、今回の画像を表示部１０１に表示する。以上で一連の処理が終了する。
【００４２】
次に、図５を用いて、ステップＳ４０４で行われるライビュー中の露出制御モードの決定処理の詳細を説明する。
【００４３】
ステップＳ４０４の処理を開始すると、ステップＳ５０１でマイコン１０３は、図３を用いて説明したＧＵＩにおける「露出Ｓｉｍｕｌａｔｉｏｎ」の設定を取得する。「露出Ｓｉｍｕｌａｔｉｏｎ」の設定は、前述したように「する」、「絞り込み中」、「しない」から選択される。
【００４４】
次に、ステップＳ５０２でマイコン１０３は、絞り込みボタン１０５の状態を取得する。すなわち、絞り込みボタン１０５が操作されてオン状態であるかオフ状態であるかを取得する。
【００４５】
ステップＳ５０３でマイコン１０３は、カメラと連動できるストロボ装置が装着されているか、また装着されていたら次の撮影に備えて発光できる状態であるかどうか、ということを判定する。これは、カメラの内蔵ストロボや通信で状態を通知できる専用外部ストロボなどの連動ストロボの発光有無を判定するものである。なお、本実施形態では、シンクロ端子１０７に接続される外部ストロボはカメラと通信できないので上記の判定はできないものとする。
【００４６】
ステップＳ５０４でマイコン１０３は、上記の各ステップで取得した情報に基づいて、ライブビュー表示中の露出制御モードを露出優先にするか表示優先にするかを決定する。
【００４７】
例えば、内蔵ストロボや専用外部ストロボといった連動ストロボがあり、連動ストロボが発光準備完了状態であれば表示優先に決定する。
【００４８】
また、連動ストロボがない場合、一般的にはストロボ装置を発光させない撮影となるが、本実施形態のカメラではシンクロ端子に外部ストロボが接続されているかもしれない。このときは、図６に示した決定テーブルに基づいて露出制御モードの決定を行う。
【００４９】
絞り込みボタン１０５がオフ状態のとき、「露出Ｓｉｍｌａｔｉｏｎ」の設定が「する」であれば露出優先、「絞り込み中」または「しない」であれば表示優先とする。
【００５０】
絞り込みボタン１０５がオン状態のとき、「露出Ｓｉｍｌａｔｉｏｎ」の設定が「する」または「絞り込み中」であれば露出優先、「しない」であれば表示優先とする。
【００５１】
以上のように、ライブビュー中の露出制御モードを「露出Ｓｉｍｌａｔｉｏｎ」の設定と絞り込みボタン１０５の状態とに基づいて決定する。このようにライブビュー中の露出制御モードを選択可能にしたので、ライブビュー中に常に撮影露出の過不足を確認できるようにしたい撮影者は「露出Ｓｉｍｌａｔｉｏｎ」の設定を「する」にすればよい。また、通常は構図を確認しやすいように適正な明るさの画像が表示部１０１に表示されるようにして、絞り１を絞り込んだときはプレビューとして撮影露出の過不足や被写界深度の確認ができる画像を表示したい撮影者は「絞り込み中」にすればよい。また、シンクロ端子で接続したストロボ装置による撮影をするため、ライブビュー中の露出制御モードを露出優先にすると絞り１を絞り込んで被写界深度の確認をしたくてもストロボ発光分の露出が不足して確認できないという撮影者は「しない」にすればよい。
【００５２】
以上のように、本実施の形態では、図３で設定した「露出Ｓｉｍｌａｔｉｏｎ」の設定が「する」の場合、絞り込みボタン１０５の状態に関わらずライブビュー中の露出制御モードは露出優先に決定される。この設定はストロボ撮影を行わず、撮影露出の過不足を常に観察したい場合に有用である。
【００５３】
また、「露出Ｓｉｍｌａｔｉｏｎ」の設定が「絞り込み中」の場合、絞り込みボタン１０５がオフ状態なら露出制御モードを表示優先にして撮影露出の過不足に関わらず見やすい画像が表示される。一方、絞り込みボタン１０５をオン状態にしてプレビューを行う場合には露出制御モードは露出優先になる。この設定は、絞り１を絞り込まない場合は表示画像を利用して構図やマニュアルフォーカスの確認を行い、絞り１を絞り込んだプレビューでは撮影露出と被写界深度とを確認する場合に有用である。
【００５４】
また、「露出Ｓｉｍｌａｔｉｏｎ」の設定が「しない」の場合、絞り込みボタン１０５の状態に関わらずライブビュー中の露出制御モードは露出優先に決定される。この設定は、シンクロ端子に外部ストロボを接続し、外部ストロボが発光していない状況では撮影露出が大幅に露出不足になるが、被写界深度を確認するためのプレビューを適正な明るさで表示したい場合に有用である。
【００５５】
以上のように、本実施形態では、撮影者の意図に合わせてライブビュー中の露出制御モードを細かく決定するので、ライブビュー中に撮影者の意図に合わせた画像が表示されるように露出制御を行うことができる。
【００５６】
なお、上記の実施形態では、「露出Ｓｉｍｌａｔｉｏｎ」の設定が「絞り込み中」の場合、絞り込みボタン１０５がオフ状態なら表示優先にしてオン状態なら露出優先にするが、「絞り込み中」とは逆の制御を行う「露出Ｓｉｍｌａｔｉｏｎ」の設定があってもよい。例えば、絞り込みボタン１０５がオフ状態なら露出優先にし、オン状態なら表示優先にする。このように露出制御モードを決定することで、絞り１を絞り込むときには被写界深度を確認しやすい画像を表示することができるとともに、絞り１を絞り込んでいないときには撮影露出の過不足を確認しやすい画像を表示することができる。
【００５７】
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００５８】
１  絞り
２３  画像処理回路
２４  表示部駆動回路
１０１  表示部
１０３  マイクロコンピュータ
１０４  撮像素子
１０５  絞り込みボタン
１０７  シンクロ端子
【図１】
2012244532.tif 000003
【図２】
2012244532.tif 000004
【図３】
2012244532.tif 000005
【図４】
2012244532.tif 000006
【図５】
2012244532.tif 000007
【図６】
2012244532.tif 000008